(57)【要約】【課題】インバータに入力される電流等が増加しても、インバータにおけるＰＷＭ制御のデューティ比が大きくなることが低減する蛍光管用電源およびバックライトを提供する。【解決手段】整流回路１と、平滑回路２と、インバータ２０と、このインバータを制御するコントロール回路２２とを備えた蛍光管用電源５０において、インバータ２０の入力電流を検出する電流検出部２１が設けられ、入力電流が増加すると、電流検出部２１の出力信号に基づいてコントロール回路２２が停止する。【選択図】図１
2009037859.tif 000002
【特許請求の範囲】
【請求項１】
交流電源が入力される整流回路と、前記整流回路の出力が入力される平滑回路と、前記平滑回路の出力が入力されるインバータと、前記インバータを制御するコントロール回路とを備えた蛍光管用電源において、
前記インバータの入力電流を検出する電流検出部が設けられ、
前記入力電流が増加すると、前記電流検出部の出力信号に基づいて前記コントロール回路が停止することを特徴とする蛍光管用電源。
【請求項２】
交流電源が入力される整流回路と、前記整流回路の出力が入力される平滑回路と、前記平滑回路の出力が入力されるインバータと、前記インバータを制御するコントロール回路とを備えた蛍光管用電源において、
前記インバータの入力電流を検出する電流検出部と、
前記インバータの入力電圧を検出する電圧検出部と、
前記電流検出部の出力信号と前記電圧検出部の出力信号とに基づいて前記インバータの入力電力を演算する演算部と、が設けられ、
前記入力電力が増加すると、前記演算部の出力信号に基づいて前記コントロール回路が停止することを特徴とする蛍光管用電源。
【請求項３】
請求項１または２に記載の蛍光管用電源において、
前記コントロール回路を停止するための出力信号が、前記コントロール回路のイネーブル端子に入力されることを特徴とする蛍光管用電源。
【請求項４】
請求項１または２に記載の蛍光管用電源において、
前記コントロール回路を停止するための出力信号が、前記コントロール回路の電源端子に入力されることを特徴とする蛍光管用電源。
【請求項５】
請求項１ないし４のいずれかに記載の蛍光管用電源と、前記蛍光管用電源から電源が供給される蛍光管とを備えることを特徴とするバックライト。
【発明の詳細な説明】
【技術分野】
【０００１】
本発明は、蛍光管用電源およびバックライトに関する。
【背景技術】
【０００２】
発電、送電等を行う供給側と、負荷の大幅な変化等が生じる需要側との不一致等が原因で、需要側で電圧や電流が変化することがある。このような変化が生じると、電気製品が正常に動かなくなる。
【０００３】
例えば、液晶テレビに使用されるバックライトでは、電源回路として、家庭用商用電源を直流に変換するコンバータ、すなわち直流電源と、この直流電源を交流に変換するインバータとが使用されている。このインバータに入力される電流や電力が減少すると、設定した明るさより画面が暗くなる。また、電流や電力が増加すると、設定した明るさより画面が明るくなる。
【０００４】
特に、バックライトに使用されるＣＣＦＬ(Cold Cathode Fluorescent Lamp:冷陰極蛍光ランプ)等の放電管は、負性抵抗特性を有する。つまり、電圧が上昇すると電流が減少し、電圧が低下すると電流が増加する。また、ＣＣＦＬ等の蛍光管のインピーダンスは、通電時間によって異なり、蛍光管によってもばらつきがある。一方で、蛍光管やバックライトの輝度は、蛍光管の管電流や管電力によるので、蛍光管には安定した電流供給や電力供給がされる必要がある。
【０００５】
蛍光管は、調光を行うのにＰＷＭ制御を使用している。ＰＷＭ制御を行うことにより、蛍光管のオンとオフを制御するパルスの幅、すなわちデューティ比を変化させる。デューティ比が変化すると、人には認識できない速さで蛍光管の点灯と消灯とが繰り返されるので、調光を行うことができる。
【０００６】
一方で、インバータに入力される電流や電力が変化すると、ＰＷＭ制御では、蛍光管の電流や電力が安定せずに、ＰＷＭ制御のデューティ比が大きくなった状態が続く場合がある。
【０００７】
このような状況下、特許文献１では、ＰＷＭ制御を行うスイッチング素子を駆動する駆動回路に、スイッチング素子の動作周波数を増減させる三角波発振回路と、当該三角波発振回路から出力される三角波を所定のデューティ比の矩形波に変換して出力する比較回路を設けた蛍光管ランプの点灯装置が提案されている。この回路構成にすることにより、入力電源のデューティ比を略一定に維持したままスイッチング素子の動作周波数を変動させ、スイッチング素子のオン動作の間にトランスに蓄積されるエネルギーが、入力電源の電圧変動を相殺するようにして、トランスに蓄積される電力を略一定にしている。
【０００８】
特許文献２では、トランスの２次側出力の立ち上がりを制御するスイッチング回路と、トランスの２次側出力の立ち下がりを制御するスイッチング回路とを設けることにより、出力波形のＶＰ−Ｐ（最大ピーク電圧と最小ピーク電圧の差）と周波数とデューティ比とを制御する電源装置が提案されている。
【０００９】
特許文献３では、２次側出力を所定値にするため、トランスの２次側の出力を検出し、検出された２次側の出力を帰還させることにより、スイッチングパルスのデューティ比を設定するデータを生成し、生成されたデータと検出された２次側の出力とを比較し、比較結果に基づいてデューティ比を変化させるインバータが提案されている。
【００１０】
【特許文献１】特開２００６−７９９９７号公報
【特許文献２】特開２００２−１５３０７５号公報
【特許文献３】特開平５−４９２５２号公報
【発明の開示】
【発明が解決しようとする課題】
【００１１】
しかしながら、特許文献１に記載の点灯装置は、インバータの入力電源の電圧を検出しており、インバータの入力電流や入力電力を検出するものではない。
したがって、入力電圧が一定で、インバータの入力電流が増加する場合、つまり、インバータや蛍光管等、すなわち負荷のインピーダンスが小さくなる場合を検出することはできない。
【００１２】
また、インバータの入力電力を検出してはいないから、入力電圧が変化する場合と入力電力が変化する場合とを判別することができない。例えば、入力電圧が変化しなくても、蛍光管の負性抵抗特性等によって入力電流が変化し、入力電力が変化する場合がある。また、入力電圧が低下しても、インピーダンスが低下して電流が増大し、入力電力は変化しない場合もある。特に、蛍光管の輝度は、管電流や管電力によるので、インバータの入力電流や入力電力を検出することが望ましい。
さらに、本文献の点灯装置は、デューティ比を安定化させるものであり、電流や電力が増加したときに、インバータを停止させたり、ＰＷＭ制御のデューティ比を低くしたりするための電源ではない。
【００１３】
特許文献２に記載の電源装置では、デューティ比を制御するのにフィードバック制御が行われている。したがって、フィードバックを行うためにトランスの２次側の出力を検出する必要があるから、回路構成が複雑である。また、回路の損傷等を防ぐためのデューティ比の上限は、ＭＣＵ（マシンコントロールユニット）で定められており、ハードウェアを使用していない。
【００１４】
特許文献３に記載のインバータにおいても、デューティ比を制御するのにフィードバック制御が行われている。したがって、このフィードバックを行うのにトランスの２次側の出力を検出するので、回路構成が複雑である。また、回路の損傷等を防ぐためのデューティ比の上限は、ＣＰＵで定められている。
【００１５】
本発明は、このような事情に鑑み、インバータに入力される電流や電力が増加しても、インバータにおけるＰＷＭ制御のデューティ比が大きくなることが低減する蛍光管用電源および当該蛍光管用電源を利用したバックライトを提供することを目的とする。
【課題を解決するための手段】
【００１６】
上記目的を達成すべく本発明は次の技術的手段を講じた。
第１の本発明にかかる蛍光管用電源では、交流電源が入力される整流回路と、この整流回路の出力が入力される平滑回路と、この平滑回路の出力が入力されるインバータと、このインバータを制御するコントロール回路とを備えた蛍光管用電源において、インバータの入力電流を検出する電流検出部が設けられ、入力電流が増加すると、電流検出部の出力信号に基づいて、コントロール回路が停止する。
【００１７】
このような蛍光管用電源にすると、交流電源が、例えばダイオードブリッジからなる整流回路に入力され、整流された電源が、例えばコンデンサインプット方式の平滑回路に入力される。そして、整流平滑されることにより直流に変換された電源がインバータに入力され、高周波の交流になって、インバータの出力側に設けられている蛍光管を点灯させる。
【００１８】
この場合、インバータの入力電流が増加すると、電流検出部の出力信号が変化し、コントロール回路に入力され、コントロール回路が停止する。
「コントロール回路が停止する」とは、コントロール回路の電源が遮断されて、コントロール回路の機能が完全に停止し、インバータの機能が停止する場合以外に、コントロール回路がスタンバイモードに入り、ＰＷＭ制御のデューティ比を０％にしたり、インバータにおけるドライバの駆動を停止したり、蛍光管電流をゼロにしたりする場合が含まれる。
したがって、この蛍光管用電源では、インバータに入力される電流が増加すると、電流検出部からコントロール回路を停止するような信号が送られるので、インバータにおけるＰＷＭ制御のデューティ比が大きくなることが低減する。
【００１９】
第２の本発明にかかる蛍光管用電源では、交流電源が入力される整流回路と、この整流回路の出力が入力される平滑回路と、平滑回路の出力が入力されるインバータと、このインバータを制御するコントロール回路とを備えた蛍光管用電源において、インバータの入力電流を検出する電流検出部と、インバータの入力電圧を検出する電圧検出部と、電流検出部の出力信号と電圧検出部の出力信号とに基づいてインバータの入力電力を演算する演算部と、が設けられ、入力電力が増加すると、演算部の出力信号に基づいてコントロール回路が停止する。
【００２０】
このような蛍光管用電源にすると、交流電源が、例えばダイオードブリッジからなる整流回路に入力され、整流された電源が、例えばコンデンサインプット方式の平滑回路に入力される。そして、整流平滑されることにより直流に変換された電源がインバータに入力され、高周波の交流になって、インバータの出力側に設けられている蛍光管を点灯させる。
【００２１】
この場合、インバータの入力電流と入力電圧に基づいて、演算部においてインバータの入力電力が演算される。そして、インバータの入力電力が増加すると、演算部からコントロール回路を停止する信号が送られるので、ＰＷＭ制御のデューティ比が大きくなることが低減する。
【００２２】
本発明にかかる蛍光管用電源では、前述のコントロール回路を停止させるための出力信号が、コントロール回路のイネーブル端子に入力されることが好ましい。
コントロール回路のイネーブル端子は、コントロール回路をノーマルモードからスタンバイモードに移行させるためのもので、イネーブル端子が、ローレベルになると、インバータの制御等を行うためのコントロール回路内部の発振回路が停止し、コントロール回路の大部分はシャットダウンされる。したがって、ＰＷＭ制御のデューティ比が大きくなることが低減する。
【００２３】
また、イネーブル端子がハイレベルになると、コントロール回路は再びノーマルモードに復帰し、ＰＷＭ制御を行うことができるようになるとともに、高周波電圧を発生させ、蛍光管を点灯させる。
【００２４】
本発明にかかる蛍光管用電源では、前述の出力信号が、コントロール回路の電源端子に入力されていてもよい。
このようにすると、前述の出力信号によって、コントロール回路の電源が遮断されるので、コントロール回路の機能が完全に停止する。このため、インバータにおけるＰＷＭ制御のデューティ比が大きくなることが低減する。
【００２５】
また、電源端子がハイレベルになると、コントロール回路は再びノーマルモードに復帰し、ＰＷＭ制御を行うことができるようになるとともに、高周波電圧を発生させ、蛍光管を点灯させる。
【００２６】
本発明にかかるバックライトでは、前述の蛍光管用電源と、この蛍光管用電源から電源が供給される蛍光管とを備える。
このようにすると、インバータに入力される電流や電力が増加しても、蛍光管用電源として使用されるインバータにおけるＰＷＭ制御のデューティ比が大きくなることが低減し、バックライトの輝度が明るくなりすぎない。
【発明の効果】
【００２７】
本発明によれば、インバータに入力される電流や電力が増加しても、インバータにおけるＰＷＭ制御のデューティ比が大きくなることが低減する蛍光管用電源および当該蛍光管用電源を利用したバックライトを得ることができる。
【発明を実施するための最良の形態】
【００２８】
以下、本発明の実施形態を図面を参照しつつ説明する。
図１は、本発明の第１の実施形態にかかる、インバータの入力電流検出を行うバックライトの回路ブロック図である。
図１に示すように、バックライト１００は、家庭用商用電源、すなわち交流電源ＶＡＣが入力され、交流電源ＶＡＣを直流に変換するコンバータ１０と、コンバータ１０から出力される直流を高周波の交流に変換するインバータ２０と、蛍光管４０に流れる電流を安定化させるバラスト素子３０と、蛍光管４０とからなる。蛍光管用電源５０は、コンバータ１０とインバータ２０とからなる。
【００２９】
バラスト素子３０はバラストコンデンサからなり、蛍光管４０には、ＣＣＦＬが使用されている。なお、家庭用商用電源は、日本では単相交流１００Ｖである。
【００３０】
コンバータ１０は交流電源ＶＡＣの整流平滑を行い、交流電源ＶＡＣをインバータ２０の入力電源である直流に変換する回路であり、整流回路１と平滑回路２とからなる。
整流回路１は、４つの整流ダイオードからなるダイオードブリッジであり、全波整流を行っている。したがって、整流回路１の出力波形は、全波整流された波形、すなわち脈流が大きい状態の直流である。
【００３１】
そして、整流回路１の出力である脈流が大きい状態の直流が、平滑回路２に直接入力され、平滑回路２で脈流が低減された直流になる。平滑回路２は、コンデンサインプット方式であり、電解コンデンサが使用されている。つまり、平滑回路２は、交流電源ＶＡＣの周波数より低い周波数のみを通過させるローパスフィルタである。
【００３２】
コンバータ１０の直流出力が入力されるインバータ２０は、コンバータ１０の出力電流を検出する電流検出部２１と、電流検出部２１の出力信号が入力されるコントロール回路２２と、コントロール回路２２のゲートドライブ信号が入力されるドライバ２３と、ドライバ２３によって制御されるトランス２４とからなる。
【００３３】
電流検出部２１は、インバータ２０の入力電流を検出し、当該入力電流に基づいて、コントロール回路２２にハイレベル又はローレベルの出力信号を送る。電流検出にあたっては、例えば、電流検出用抵抗を使用し、この電流検出用抵抗の両端電圧を検出する。そして、両端電圧が所定の閾値以上の場合をハイレベル、所定の閾値未満の場合をローレベルとすることより、出力信号を送ることができる。
したがって、インバータ２０の入力電流が増加すると、出力信号がハイレベレルからローレベルに低下する。
【００３４】
ドライバ２３はスイッチング素子等からなる。そして、コントロール回路２２の出力信号、すなわち、ゲートドライブ信号に基づいて、このスイッチング素子を交互に導通させ、トランス２４を励磁する。このため、トランス２４の２次側に高周波の電圧が発生する。そして、高周波の電圧を出力する蛍光管用電源５０が、バラスト素子３０を介し、蛍光管４０を点灯させる。
【００３５】
コントロール回路２２は、トランス２４の１次側に設けられており、ＩＣが使用されている。コントロール回路２２の端子には、電源端子ａ、ＧＮＤ端子ｂ、ゲートドライブ端子ｃ、ＰＷＭ制御端子ｄ、ランプ電流制御端子ｅ、イネーブル端子ｆ等が設けられている。
【００３６】
電源端子ａには、直流電源が供給され、電源端子ａに電源が供給されることにより、コントロール回路２２が作動する。また、電源端子ａに対応し、ＧＮＤ端子ｂが設けられている。
ゲートドライブ端子ｃは、ドライバ２３におけるスイッチング素子のゲートに接続されており、当該ゲートをドライブし、トランス２４を介することにより、トランス２４の２次側に高周波電圧を発生させる。
【００３７】
ＰＷＭ制御端子ｄは、蛍光管４０の調光を行うための信号が入力される端子であり、この端子に接続されるＩＣの外付け部品でＰＷＭ信号の周波数、デューティ比の最低値等を変更することができる。インバータ２０のＰＷＭ制御をすることにより、インバータ２０のオンとオフを制御するパルスの幅、すなわちデューティ比を変化させることができる。デューティ比が変化すると、人には認識できない速さで蛍光管４０の点灯と消灯とが繰り返される。したがって、ＰＷＭ制御端子ｄを利用することにより、蛍光管４０の調光を行うことができる。
ランプ電流制御端子ｅは、蛍光管４０の電流を制御するための信号が入力される端子である。この端子に接続されるＩＣの外付け部品にかかる電圧を検出することにより、蛍光管４０に流れる電流を検出するとともに、当該電流を制御することができる。
【００３８】
イネーブル端子ｆは、コントロール回路２２をノーマルモードからスタンバイモードに移行させることにより、コントロール回路２２を停止させるためのものである。イネーブル端子ｆが、ローレベルになるとコントロール回路２２の内部における発振が停止し、コントロール回路２２の大部分は遮断される。スタンバイモードでは、ドライバ２３の駆動を停止したり、蛍光管４０の電流をシャットダウンしたりするとともに、ＰＷＭ制御のデューティ比を０％にすることができる。
【００３９】
また、イネーブル端子ｆがハイレベルになると、コントロール回路２２は再びノーマルモードに復帰し、蛍光管４０を点灯させるとともに、調光を行うことができるようになる。
【００４０】
インバータ２０の入力電流が増加し、所定の電流値以上、すなわち閾値以上になると、電流検出部２１の出力信号がハイレベルからローレベルになる。このため、電流検出部２１の出力がコントロール回路２２のイネーブル端子ｆに入力されていると、イネーブル端子ｆがローレベルになる。つまり、電流検出部２１はコントロール回路２２に、当該コンロトール回路２２をスタンバイモードにするための出力信号を送るので、インバータ２０の共振や蛍光管用電源５０に接続される蛍光管４０の電流が遮断されるとともに、インバータ２０のデューティ比が大きくなることが低減する。
【００４１】
図２は、本発明の第２の実施形態にかかるバックライトの回路ブロック図である。本実施形態では、電流検出部２１の出力信号が、コントロール回路２２の電源端子ａに入力されている。
第２の実施形態では、インバータ２０の入力電流が大きくなり、電流検出部２１の出力信号がローレベルになると、コントロール回路２２の電源が遮断され、コントロール回路２２の機能が完全に停止する。このため、ドライバ２３の駆動が停止したり、ＰＷＭ制御のデューティ比が０％になったりする。
【００４２】
その後、インバータ２０の入力電流が減少し、コントロール回路２２の電源端子ａがハイレベルになるとコントロール回路２２は再び作動して、ドライバ２３を駆動し蛍光管４０を点灯させるとともに、ＰＷＭ制御を行ってデューティ比を変化させることができるようになる。
【００４３】
したがって、電流検出部２１の出力がコントロール回路２２の電源端子ａに入力されている場合も、電流検出部２１は、コントロール回路２２に当該コンロトール回路２２を停止するための出力信号を送るので、インバータ２０の共振や蛍光管用電源５０に接続される蛍光管４０の電流が遮断され、インバータ２０のデューティ比が大きくなることが低減する。
【００４４】
図３は、本発明の第３の実施形態にかかる、インバータの入力電力検出を行うバックライトの回路ブロック図である。
図３に示す第３の実施形態においても、第１および第２の実施形態と同様に、バックライト１００は、交流電源ＶＡＣを直流に変換するコンバータ１０と、コンバータ１０から出力される直流を高周波の交流に変換するインバータ２０と、バラスト素子３０と、蛍光管４０とからなる。また、蛍光管用電源５０は、コンバータ１０とインバータ２０とから構成される。
【００４５】
コンバータ１０は、整流回路１と平滑回路２とからなる。コンバータ１０の直流出力が入力されるインバータ２０には、インバータ２０の入力電流を検出する電流検出部２１と、インバータ２０の入力電圧を検出する電圧検出部２５と、電流検出部２１の出力信号と電圧検出部２５の出力信号とに基づいてインバータ２０の入力電力を演算する演算部２６とが設けられている。
さらに、インバータ２０には、演算部２６の出力信号が入力されるコントロール回路２２と、コントロール回路２２のゲートドライブ信号が入力されるドライバ２３と、ドライバ２３によって制御されるトランス２４とが設けられている。
【００４６】
ドライバ２３はスイッチング素子等からなり、ゲートドライブ信号に基づいて、当該スイッチング素子を交互に導通させ、トランス２４を励磁する。このため、トランス２４の２次側に高周波の電圧が発生する。
コントロール回路２２は、トランス２４の１次側に設けられており、ＩＣが使用されている。コントロール回路２２の端子には、電源端子ａ、ＧＮＤ端子ｂ、ゲートドライブ端子ｃ、ＰＷＭ制御端子ｄ、ランプ電流制御端子ｅ、イネーブル端子ｆ等が設けられている。
【００４７】
電流検出部２１は、インバータ２０の入力電流を検出し、この入力電流の値を演算部２６に出力する。第３の実施形態での電流検出部２１は、電流値を出力するように構成されていることを要する。電流検出は、例えば、電流検出用抵抗を設け、当該電流検出用抵抗の両端電圧を検出することより行うことができる。
【００４８】
電圧検出部２５は、インバータ２０の入力電圧を検出し、この入力電圧の値を演算部２６に出力する。電圧検出部２５も、電圧値を出力するように構成されていることを要する。電圧検出は、例えば、複数の電圧検出用抵抗を使用し、インバータ２０の入力電圧を分圧することにより行うことができる。
【００４９】
演算部２６は、演算回路からなっており、電流検出部２１から入力される電流値と電圧検出部２５から入力される電圧値とが直流であるので、積算回路で構成することができる。
また、演算部２６は、積算回路で求められた電力、すなわちインバータ２０の入力電力が所定の閾値以上になると、ローレベルの信号を出力する。また、インバータ２０の入力電力が所定の閾値未満であると、ハイレベルの信号を出力する。
【００５０】
インバータ２０の入力電力が所定の閾値以上であると、演算部２６の出力信号がローレベルになり、ＰＷＭ制御のデューティ比を０％にすることができる。
また、インバータ２０の入力電力が所定の閾値未満になると、イネーブル端子ｆがハイレベルになり、コントロール回路２２は再びノーマルモードに復帰し、蛍光管４０を点灯させるとともに、ＰＷＭ制御をすることにより調光ができるようになる。
【００５１】
図４は、本発明の第４の実施形態にかかるバックライトの回路ブロック図である。本実施形態では、演算部２６の出力信号が、コントロール回路２２の電源端子ａに入力されている。
第４の実施形態では、インバータ２０の入力電力が大きくなり、演算部２６の出力信号がローレベルになると、コントロール回路２２の電源が遮断され、コントロール回路２２の機能が完全に停止する。このため、ドライバ２３の駆動が停止したり、ＰＷＭ制御のデューティ比が０％になったりする。
【００５２】
その後、インバータ２０の入力電力が減少し、コントロール回路２２の電源端子ａがハイレベルになるとコントロール回路２２は再び作動して、ドライバ２３を駆動し蛍光管４０を点灯させるとともに、ＰＷＭ制御を行ってデューティ比を変化させることができるようになる。
【００５３】
したがって、演算部２６の出力がコントロール回路２２の電源端子ａに入力されている場合も、演算部２６は、コントロール回路２２に当該コンロトール回路２２を停止するための出力信号を送るので、インバータ２０の共振や蛍光管用電源５０に接続される蛍光管４０の電流が遮断され、デューティ比が大きくなることが低減する。
【００５４】
本発明は、前述の実施形態以外に種々の実施形態を採用することができる。インバータ２０は、自励発振方式、電力変換素子を使用したハーフブリッジ方式、フルブリッジ方式等どのような方式のインバータであってもよい。また、蛍光管４０も、ＣＣＦＬに限られない。コントロール回路２２、すなわちＩＣの機能は、前述の通りでなくてもよい。例えば、ＩＣが停止する場合にインバータ２０のデューティ比が低くなるが、デューティ比は０％でなくてもよい。つまり、このバックライト１００に使用される電流検出部２１、電圧検出部２５、演算部２６、インバータ２０等は、本発明の趣旨を損なわない範囲で、どのような回路構成、回路素子であってもよい。
【図面の簡単な説明】
【００５５】
【図１】本発明の第１の実施形態にかかるバックライトの回路ブロック図である。
【図２】本発明の第２の実施形態にかかるバックライトの回路ブロック図である。
【図３】本発明の第３の実施形態にかかるバックライトの回路ブロック図である。
【図４】本発明の第４の実施形態にかかるバックライトの回路ブロック図である。
【符号の説明】
【００５６】
１      整流回路
２      平滑回路
２０    インバータ
２１    電流検出部
２２    コントロール回路
２５    電圧検出部
２６    演算部
４０    蛍光管
５０    蛍光管用電源
１００  バックライト
ＶＡＣ    交流電源
ａ      電源端子
ｆ      イネーブル端子
【図１】
2009037859.tif 000003
【図２】
2009037859.tif 000004
【図３】
2009037859.tif 000005
【図４】
2009037859.tif 000006